(57)【特許請求の範囲】
【請求項１】
ランドセルの肩ベルト（６）に被せて使用する肩ベルトカバーであって、筒状に形成されたカバー本体（１）の上端に、肩ベルト取付具（２）のベルト連結環（３）内を通ってカバー本体（１）の対向面どうしを繋ぐ連結帯（４）を設け、使用時にカバー本体（１）が下方へずれるのを防ぐようにすると共に、カバー本体（１）の上部の開放端に至るスリット（１０）が形成されており、
連結帯（４）を肩ベルト取付具（２）のベルト連結環（３）内に通してから、カバー本体（１）の裏側生地（８）の内側面と係合させ、カバー本体（１）の上端周方向に取り付けられた締結ベルト（５）によりカバー本体（１）の開放端を縮径させることによって使用時にカバー本体（１）が下方へずれるのを防ぐようにすると共に、
前記カバー本体（１）は、肩ベルト（６）の表側面に沿って配される表側生地（７）と、使用者の身体に接触する面側に沿って配される裏側生地（８）からなり、裏側生地（８）は、メッシュ状の生地（８ａ，８ｂ）の間に弾力性部材（８ｃ）を挟んだものであること
を特徴とするランドセルの肩ベルトカバー。
【請求項２】
連結帯（４）が、面接着ファスナ（４ａ，４ｂ）によりカバー本体（１）と着脱自在になっていることを特徴とする請求項１記載のランドセルの肩ベルトカバー。
【請求項３】
連結帯（４）の面接着ファスナ（４ａ）と係合する面接着ファスナ（４ｂ）がカバー本体（１）の内側面の上端付近に取り付けられていることを特徴とする請求項１又は２記載のランドセルの肩ベルトカバー。
【発明の詳細な説明】
【０００１】
【発明の属する技術分野】
この発明は、ランドセルの肩ベルトに被せて使用し、使用者（児童）の肩に当たる部分への当たりを柔らかくするようにした肩ベルトカバーに関し、肩ベルトカバーが使用中にずれないようにしたものである。
【０００２】
【従来の技術】
ランドセルの肩ベルトは、使用者の肩に当たる側の部分に柔らかいクッション材を使用し、肩に当たる感触をソフトにしてランドセルを背負いやすくしている。しかしながら、ランドセルを長年使用していると、肩ベルトのクッション材がへたって固くなり、背負いにくくなってくる。
【０００３】
そのため、出願人は、使用者の肩に当たる部分が通気性を有するクッション性生地からなり、肩ベルトの外側面に当たる部分が伸縮性を有する生地からなる肩ベルトカバーを開発した。
【０００４】
しかしながら、ランドセルに取り付けた肩ベルトカバーの伸縮性が経時変化により劣ってくると、肩ベルトカバーがずれやすくなるという問題点があった。
【０００５】
【発明が解決しようとする課題】
そこでこの発明では、上記の問題点を解決し、長期間使用してもずれてくることのない肩ベルトカバーを提供することを目的とする。
【０００６】
【課題を解決するための手段】
そのため、この発明では、ランドセルの肩ベルト（６）に被せて使用する肩ベルトカバーであって、筒状に形成されたカバー本体（１）の上端に、肩ベルト取付具（２）のベルト連結環（３）内を通ってカバー本体（１）の対向面どうしを繋ぐ連結帯（４）を設け、使用時にカバー本体（１）が下方へずれるのを防ぐようにすると共に、カバー本体（１）の上部の開放端に至るスリット（１０）が形成されており、
連結帯（４）を肩ベルト取付具（２）のベルト連結環（３）内に通してから、カバー本体（１）の裏側生地（８）の内側面と係合させ、カバー本体（１）の上端周方向に取り付けられた締結ベルト（５）によりカバー本体（１）の開放端を縮径させることによって使用時にカバー本体（１）が下方へずれるのを防ぐようにすると共に、
前記カバー本体（１）は、肩ベルト（６）の表側面に沿って配される表側生地（７）と、使用者の身体に接触する面側に沿って配される裏側生地（８）からなり、裏側生地（８）は、メッシュ状の生地（８ａ，８ｂ）の間に弾力性部材（８ｃ）を挟んだものとした
【０００７】
このようにすれば、カバー本体１が下方に引っ張られてずれようとしても、上部の対向面どうしが連結帯４で強固に繋がれているので、ずれることがないと共に通気性のすぐれたものとなる。
【０００８】
また、カバー本体１の上部に開放端に至るスリット10が形成されており、さらにカバー本体１の上端周方向に取り付けられた締結ベルト５によりカバー本体１の開放端が縮径できるようになったものとすることが好ましい。
【０００９】
このようにすれば、カバー本体１を肩ベルト６に被せるときに、スリット10を開けることができるので、被せやすくなる。
【００１０】
前記連結帯４の一方の先部は、請求項２に記載のように、面接着ファスナ4a，4bによりカバー本体１と着脱自在になっているようにすることが好ましい。
【００１１】
このようにすれば、連結帯４のカバー本体１に係着する位置を自由に変えられるので、連結帯４の長さをカバー本体１の位置に合わせて調節することができる。
【００１２】
また、請求項３に記載のように、前記構成に加え、連結帯４の面接着ファスナ４ａと係合する面接着ファスナ４ｂがカバー本体１の内側面の上端付近に取り付けられているようにすることが好ましい。
【００１３】
このようにすれば、締結ベルト５を締めると連結帯４の面接着ファスナの係合面4a，4bが開放端の縮径により押さえ付けられるようになるので、連結帯４のカバー本体１側との係着が強固になる。
【００１４】
【発明の実施の形態】
図１は、この発明のランドセルの肩ベルトカバーの使用状態を示す斜視図、図２は肩ベルトカバーの上部の構造を示す斜視図、図３は肩ベルトカバーを肩ベルトに被せたときの状態を説明する断面図である。
【００１５】
以下、これらの図面を参照してこの発明の実施の形態を説明する。
【００１６】
この発明のランドセルの肩ベルトカバーは、図１及び図２に示すように、筒状に形成されたカバー本体１と、ランドセルの肩ベルト取付具２のベルト連結環３内を通ってカバー本体１の上部の対向面どうしを繋ぐ連結帯４と、カバー本体１の上端に周方向に取り付けられた締結ベルト５からなる。
【００１７】
カバー本体１は、肩ベルト６の表側面に沿って配される表側生地７と、使用者の身体に接触する面側に沿って配される裏側生地８からなり、これら二枚の生地７，８の左右両端部を縫合することにより筒状に形成されている。さらに、上下の端面は、テープ９で被い縫製することによって端面処理がなされている。
【００１８】
カバー本体１の中に肩ベルト６を通すと、肩ベルト６の上部から中央部を覆うことができるようになっている。カバー本体１の表側生地７は、四方に伸縮性を有する生地からなり、使用者の身体に接触する側の裏側生地８は、通気性とクッション性を有する生地からなる。
【００１９】
このカバー本体１は、上下方向（長尺方向）の長さが２５ｃｍ程度で、使用時に肩ベルト６の使用者（児童）の肩から脇に当たる部分が被さるようになっている。
【００２０】
裏側生地８は、生地8a，8bの間に弾力性部材8cを挟んだものであり、前記弾力性部材8cは、合成繊維を立体的に絡み合わせたものである。さらに、生地8a，8bをメッシュ状のものとすることにより、通気性のすぐれたものとなっている。
【００２１】
裏側生地８は、前記のように、通気性を有するため、長時間使用者（児童）の身体に接してもムレにくいようになっている。また、ランドセルの重みによる肩ベルト６の身体への圧迫も緩和するようになっている。
【００２２】
このカバー本体１は、表側生地２を少し伸ばした状態で肩ベルト６に被せるようになっており、肩ベルト６に被せやすいようにするために、カバー本体１の上部には開放端に至るスリット10が形成されている。
【００２３】
連結帯４は、織物地のテープからなり、図２及び図３に示すように、基端側がカバー本体１の表側生地７の上部に縫着され、先端側には面接着ファスナ4aが取り付けられている。さらに、前記面接着ファスナ4aは、カバー本体１の裏側生地８の内側面に取り付けた面接着ファスナ4bと係合するようになっている。
【００２４】
カバー本体１の上端に周方向に取り付けられた締結ベルト５は、合成樹脂繊維からなる面接着ファスナテープ5aからなり、図２及び図３に示すように、基端側がカバー本体１の裏側生地８の内側面に縫着されている。さらに、前記面接着ファスナテープ5aは、カバー本体１の表側生地７の外側面に取り付けた面接着ファスナ5bと係合するようになっている。
【００２５】
この発明のランドセルの肩ベルトカバーを装着するには、次のようにして行う。
【００２６】
カバー本体１の中に肩ベルト６の端を入れ、長尺方向に沿ってずらせて肩ベルト６の上端付近まで移動させる。
【００２７】
次に、連結帯４を肩ベルト取付具２のベルト連結環３内を通してから、先端側の面接着ファスナ4aを、カバー本体１の裏側生地８の内側面に取り付けた面接着ファスナ4bと係合させる。
【００２８】
さらに、締結ベルト５をカバー本体１の外側面に取り付けた面接着ファスナ5bに締めた状態になるようにして係合させる。
【００２９】
以上で、この発明のランドセルの肩ベルトカバーの取り付けが完了する。
【００３０】
このとき、締結ベルト５を締めることにより、カバー本体１の上部の開放端が縮まり連結帯４の面接着ファスナ4a，4bの係合面が押さえ付けられるようになるので、面接着ファスナ4a，4bどうしの係合が強固になり、連結帯４とカバー本体１との係着が強固になる。
【００３１】
尚、左右の肩ベルト６に取り付けられている肩ベルトカバーは、肩ベルト６の輪郭形状に合わせて製作されており、左右の肩ベルトカバーは対称に形成されているものである。
【００３２】
以上が実施例の説明であり、連結帯４及び締結ベルト５に面接着ファスナを使用して係着するようにした例を示したが、同様の作用・効果を有するものに変更して実施することもできる。
【００３３】
カバー本体１に使用する表側生地７と裏側生地８も、この実施例のものに限定されず、任意に変更して実施することもできる。
【００３４】
【発明の効果】
この発明のランドセルの肩ベルトカバーでは、上述のように、カバー本体１の上部の対向面どうしが肩ベルト取付具２のベルト連結環３内を通る連結帯４で繋がれているので、カバー本体１が下方に引っ張られても、ずれることがない使い勝手の良いものとなる。
【００３５】
請求項２に記載のように、前記連結帯４が、面接着ファスナ4a，4bによりカバー本体１と着脱自在になっているようにすれば、連結帯４のカバー本体１に係着する位置を自由に変えられるので、連結帯４の長さをカバー本体１の位置に合わせて調節することができ、さらに使い勝手の良いものとなる。
【００３６】
また、請求項３に記載のように、カバー本体１の上部に開放端に至るスリット10が形成されており、さらにカバー本体１の上端周方向に取り付けられた締結ベルト５によりカバー本体１の開放端が縮径できるようになったものとすれば、カバー本体１を肩ベルト６に被せるときに、スリット10を開けることができるので、被せやすくなり、交換や洗濯等のときに着脱が容易になる。
【００３７】
また、請求項４に記載のように、前記構成に加え、連結帯４の面接着ファスナ4aと係合する面接着ファスナ4bがカバー本体１の内側面の上端付近に取り付けられているようにすれば、締結ベルト５を締めると連結帯４の面接着ファスナの係合面4a，4bが開放端の縮径により押さえ付けられるようになるので、連結帯４のカバー本体１側との係着が強固になり、さらにカバー本体１がずれることがなく、使い勝手の良いものとなる。
【図面の簡単な説明】
【図１】この発明の肩ベルトカバーの使用状態を示す斜視図である。
【図２】この発明の肩ベルトカバーの上部の構造を示す斜視図である。
【図３】この発明の肩ベルトカバーを肩ベルトに被せたときの状態を説明する断面図である。
【符号の説明】
１  カバー本体
２  肩ベルト取付具
３  ベルト連結環
４  連結帯
4a，4b  面接着ファスナ
５  締結ベルト
６  肩ベルト
10  スリット
【図１】
0004604268.tif 000002
【図２】
0004604268.tif 000003
【図３】
0004604268.tif 000004